(57)【特許請求の範囲】
【請求項１】
金属製の縦棒（１）の先端にＴ字形になるように金属製の横棒（１−３）を設け、縦と横の
接する中央部にゴミ、汚れを除去する合成樹脂系ブラシの回転を調整するストッパー
（１−２）を左右に又、逆回転させないストッパー（１−１）を左右にそれぞれ設け、手前側
に縦棒を長くするために必要な、縦棒を延長させるメネジ付きパイプ（２）を設置して、横棒
（１−３）の外部には、ローラ状の右方ゴミ、汚れを除去する合成樹脂系布ブラシ外部用
（７）と、ゴミ、汚れを除去する合成樹脂系布ブラシ内部用（７−１）を設け、ローラ状の
左方ゴミ、汚れを除去する合成樹脂系布ブラシ外部用（８）と、ゴミ、汚れを除去する合成
樹脂系布ブラシ内部用（８−１）を設け、縦棒を延長させるメネジ付きパイプ（２）を設置
してあるため、延長用縦棒（３）は、延長用縦棒オネジ（３−１）、延長用縦棒メネジ（３−２）
を使用して長さを変更出来るようにして、延長用縦棒は、一方の先端はオネジに、他方の
先端はメネジにしてあるため、好みにより複数本連結して長さを調整出来ることを特徴とする
逆回転しない網戸清掃用ブラシ。
【請求項２】
金属製の縦棒（１）、金属製の横棒（１−３）は、金属から合成樹脂に換えて使用する事が
出来る請求項１記載の逆回転しない網戸清掃用ブラシ。
【発明の詳細な説明】
【技術分野】
【０００１】
前進はローラが回らず、後進はローラが回る、逆転しない網戸清掃用具に関する。
【背景技術】
【０００２】
従来，清掃に使用する用具は、多くあるが網戸を清掃する用具は専用に使用する商品又は特許公報に記載も本願発明と同じものは見当たらない。
［特許文献１］特開２０１７−１７８６０６号公報（清掃用ブラシ）
［特許文献２］特開２０１５−０７０９９８号公報（清掃用ブラシ）
前記内容は、公報に記載はあるが技術的，構造的な違いが大きい。
【先行技術文献】
【特許文献】
【０００３】
【特許文献１】特開２０１７−１７８６０６号公報
【特許文献２】特開２０１５−０７０９９８号公報
【発明の概要】
【発明が解決しようとする課題】
【０００４】
清掃用具は多くの商品があるが、網戸を清掃する専用の清掃用具はなく、不便をしてきた。
網戸の清掃に置いて、前進も後進もローラが回るだけではなく、前進は回らず、後進は回る、網戸専用の清掃用具を開発することが重要であり、それを解決することが課題である。
【課題を解決するための手段】
【０００５】
課題を解決するために本発明は，以下の構成とした。
金属製の縦棒（１）の先端にＴ字形になるように金属製の横棒（１−３）を設け、縦と横の接する中央部にゴミ、汚れを除去する合成樹脂系布を調整するストッパー（１−２）を左右に又、逆回転させないストッパー（１−１）を左右にそれぞれ設け、手前側に縦棒を長くするために必要な、縦棒を延長させるメネジ付きパイプ（２）を設置した。
【０００６】
横棒（１−３）の外部には１．ローラ状の右方ゴミ、汚れを除去する合成樹脂系布ブラシ［外部用］（７）と、ゴミ、汚れを除去する合成樹脂系布ブラシ［内部用］（７−１）を設けた。
２．ローラ状の左方ゴミ、汚れを除去する合成樹脂系布ブラシ［外部用］（８）と、ゴミ、汚れを除去する合成樹脂系布ブラシ［内部用］（８−１）を設けた。
【０００７】
縦棒を延長させるメネジ付きパイプ（２）を設置してあるため、延長用縦棒（３）は、延長用縦棒オネジ（３−１）、延長用縦棒メネジ（３−２）を使用して長さを変更出来る。
延長用縦棒は、一方の先端はオネジに、他方の先端はメネジにしてあるため、好みにより複数本連結して長さを調整出来る。
【０００８】
使用時は、押してもローラが回らず、手前に引くとローラが回る構造にした。
【０００９】
逆回転しない網戸清掃用ブラシ本体を平面から見て表を使用する場合は押すときにブラシが回転しない。手前に引くとブラシが回転する。
また、裏を使用すると押す時はブラシが回転し手前に引くと回転しないという特徴がある。
【発明の効果】
【００１０】
１．押すとローラが回らないためゴミ、汚れを落とすことが出来る。
引く時はローラが回る。
２．ブラシは、細部まで接触して埃まで取る事が出来る。
３．表面積が平らな清掃用具と比較して力が弱い人でも楽に使用出来る。
【図面の簡単な説明】
【００１１】
【図１】逆回転しない網戸清掃用具を分解した平面図
【図２】縦棒と横棒のみを拡大した説明図
【図３】右方、左方のゴミ、汚れを除去する合成樹脂系布ブラシ（内部用）の内部を見せた説明図
【図４】図１の部品を組み立てて、清掃出来るようにした斜視図
【発明を実施するための形態】
【００１２】
発明の実施形態について説明する。
金属製の縦棒（１）の先端にＴ字形になるように金属製の横棒（１−３）を設け、縦と横の接する中央部にゴミ、汚れを除去する合成樹脂系布ブラシを調整するストッパー（１−２）を左右に又、逆回転させないストッパー（１−１）を左右にそれぞれ設け、手前側に縦棒を長くするために必要な、縦棒を延長させるメネジ付きパイプ（２）を設置した。
逆回転させないストッパー（１−１）の素材は合成樹脂である。
【００１３】
横棒（１−３）の外部には、ローラ状の右方ゴミ、汚れを除去する合成樹脂系布ブラシ［外部用］（７）と、ゴミ、汚れを除去する合成樹脂系布ブラシ［内部用］（７−１）を設けた。
ローラ状の左方ゴミ、汚れを除去する合成樹脂系布ブラシ［外部用］（８）と、ゴミ、汚れを除去する合成樹脂系布ブラシ［内部用］（８−１）を設けた。
［内部用］（７−１）も、［内部用］（８−１）の何れも内部に逆回転させないストッパー（１−１）を受け入れる構造にした。
【００１４】
縦棒を延長させるメネジ付きパイプ（２）を設置してあるため、延長用縦棒（３）は、延長用縦棒オネジ（３−１）、延長用縦棒メネジ（３−２）を使用して長さを変更出来る。
延長用縦棒は、一方の先端はオネジに、他方の先端はメネジにしてあるため、好みにより複数本連結して長さを調整出来る。
好みにより、延長用縦棒（３）の他に、延長用縦棒（４）、  延長用縦棒（５）を使用して、作業がスムーズに出来るように調整できる。
【００１５】
使用時は、押してもローラが回らず、手前に引くとローラが回る構造である。
使用方法として、網戸がガラスと一定の間隔を置いて設置してある場合は、他の清掃用具をと違い、軽く接することが出来る。
又、網戸を外して床面に置いて逆回転しない網戸清掃用具を使用する場合は、特に網戸を破損させる作業にはならない安全性がある。
【００１６】
縦棒（１）、横棒（１−３）は金属製を使用しているが、合成樹脂に換えることが出来る。
【００１７】
逆回転しない網戸清掃用ブラシ本体を平面から見て表を使用する場合は押すときにブラシが回転しない。手前に引くとブラシが回転する。
また、裏を使用すると押す時はブラシが回転し手前に引くと回転しないという特徴がある。
【符号の説明】
【００１８】
１．    縦棒
１−１．逆回転させないストッパー
１−２．ゴミ、汚れを除去する合成樹脂系布ブラシを調整するストッパー
１−３．横棒
２．    縦棒を延長させるメネジ付きパイプ
２−１．メネジ
３．    延長用縦棒
３−１．延長用縦棒オネジ
３−２．延長用縦棒メネジ
４．    延長用縦棒
４−１．延長用縦棒オネジ
４−２．延長用縦棒メネジ
５．    延長用縦棒
５−１．延長用縦棒オネジ
５−２．延長用縦棒メネジ
６．    取っ手
６−１．メネジ
６−２．長円形の穴
７．    ローラ状右方ゴミ、汚れを除去する合成樹脂系布ブラシ［外部用］
７−１．ローラ状右方ゴミ、汚れを除去する合成樹脂系布ブラシ［内部用］
７−２．［内部用］の内面
７−３．外部、内部連結部
７−４．逆回転させないストッパーが入る穴
８．    ローラ状左方ゴミ、汚れを除去する合成樹脂系布ブラシ［外部用］
８−１．ローラ状左方ゴミ、汚れを除去する合成樹脂系布ブラシ［内部用］
８−２．［内部用］の内面
８−３．外部、内部連結部
８−４．逆回転させないストッパーが入る穴
【要約】
【課題】清掃用具は多くの商品があるが、網戸を清掃する専用の清掃用具はなく、不便をしてきた。
網戸の清掃に置いて、前進も後進もローラが回るだけではなく、前進は回らず、後進は回る、網戸専用の清掃用具を開発することが重要であり、それを解決することが課題であり、誰が使用しても押しはローラが回転、引きはローラが回転しない網戸清掃用ブラシを提供する。
【解決手段】金属製の縦棒の先端にＴ字形になるように横棒を設け、縦と横の接する中央部の外部にローラ状の右方ゴミ、汚れを除去する合成樹脂系布ブラシ［外部用］と、ゴミ、汚れを除去する合成樹脂系布ブラシ［内部用］も設け、ローラ状の左方ゴミ、汚れを除去する合成樹脂系布ブラシ［外部用］と、ゴミ、汚れを除去する合成樹脂系布ブラシ［内部用］を設け、縦棒を延長させるメネジ付きパイプを設けたことを特徴とする。
【選択図】図１【図１】
0006808792.tif 000002
【図２】
0006808792.tif 000003
【図３】
0006808792.tif 000004
【図４】
0006808792.tif 000005